(57)【要約】【課題】写真を用いた認証を防止し、より精度の高い認証を実現する携帯端末装置、その認証方法及びプログラムを提供する。【解決手段】所定の認証を行い、認証が成功した場合に所定のロックを解除する携帯端末装置であって、所定の被写体を撮影する撮像手段と、撮像手段により被写体を撮影する際に、被写体を照光する照光手段と、照光手段により照光された被写体、又は、照光手段により照光された被写体を撮像手段により撮影した撮影画像のコントラスト比及び明るさを検出する検出手段と、検出手段により検出されたコントラスト比及び明るさの両方に変化があるか否かを判断する制御手段と、を有し、制御手段は、検出手段により検出されたコントラスト比及び明るさの両方に変化がある場合、ロックを解除する制御を行う。【選択図】図１
2008262475.tif 000002
【特許請求の範囲】
【請求項１】
所定の認証を行い、該認証が成功した場合に所定のロックを解除する携帯端末装置であって、
所定の被写体を撮影する撮像手段と、
該撮像手段により前記被写体を撮影する際に、該被写体を照光する照光手段と、
該照光手段により照光された被写体、又は、該照光手段により照光された被写体を前記撮像手段により撮影した撮影画像のコントラスト比及び明るさを検出する検出手段と、
該検出手段により検出されたコントラスト比及び明るさの両方に変化があるか否かを判断する制御手段と、を有し、
前記制御手段は、
前記検出手段により検出されたコントラスト比及び明るさの両方に変化がある場合、前記ロックを解除する制御を行うことを特徴とする携帯端末装置。
【請求項２】
前記制御手段は、
前記検出手段により検出されたコントラスト比及び明るさの両方に変化がない場合、前記ロックを維持する制御を行うことを特徴とする請求項１記載の携帯端末装置。
【請求項３】
前記撮像手段により前記被写体を予め撮影し、登録画像として記憶する登録画像記憶手段と、
前記撮像手段により前記被写体を予め撮影した際に計測された焦点距離を記憶する焦点距離記憶手段と、を有し、
前記制御手段は、
前記焦点距離記憶手段に記憶された焦点距離にて、前記被写体を撮影するように前記撮像手段を制御し、
前記撮像手段により撮影された撮影画像と、前記登録画像記憶手段に記憶された登録画像とを比較し、
該比較の結果、該撮影画像と、該登録画像とが同じであると認識した場合、該撮影画像のコントラスト比及び明るさを検出するように前記検出手段を制御することを特徴とする請求項１又は２記載の携帯端末装置。
【請求項４】
前記撮像手段により前記被写体を予め撮影し、登録画像として記憶する登録画像記憶手段と、
前記撮像手段により前記被写体を予め撮影した際に計測された焦点距離を記憶する焦点距離記憶手段と、を有し、
前記制御手段は、
前記検出手段により検出されたコントラスト比及び明るさの両方に変化がある場合、前記焦点距離記憶手段に記憶された焦点距離にて、前記被写体を撮影するように前記撮像手段を制御し、
前記撮像手段により撮影された撮影画像と、前記登録画像記憶手段に記憶された登録画像とを比較し、
該比較の結果、該撮影画像と、該登録画像とが同じであると認識した場合、前記ロックを解除する制御を行うことを特徴とする請求項１又は２記載の携帯端末装置。
【請求項５】
前記制御手段は、
前記撮像手段により前記被写体を予め撮影した際に、前記登録画像が予め設定された所定の条件を満たしているか否かを判断し、
前記登録画像が予め設定された所定の条件を満たしている場合、該登録画像を前記登録画像記憶手段に記憶することを特徴とする請求項１から４のいずれか１項に記載の携帯端末装置。
【請求項６】
所定の認証を行い、該認証が成功した場合に所定のロックを解除する携帯端末装置の認証方法であって、
所定の被写体を照光して撮影する第１の撮像ステップと、
該照光された被写体、又は、該第１の撮像ステップで撮影した撮影画像のコントラスト比及び明るさを検出する検出ステップと、
該検出ステップで検出したコントラスト比及び明るさの両方に変化があるか否かを判断する変化判断ステップと、
該変化判断ステップの結果、前記検出ステップで検出したコントラスト比及び明るさの両方に変化がある場合、前記ロックを解除する制御を行うロック解除ステップと、
を有することを特徴とする携帯端末装置の認証方法。
【請求項７】
前記変化判断ステップの結果、前記検出ステップで検出したコントラスト比及び明るさの両方に変化がない場合、前記ロックを維持する制御を行うロック維持ステップを有することを特徴とする請求項６記載の携帯端末装置の認証方法。
【請求項８】
前記第１の撮像ステップの前に、前記被写体を予め撮影した画像を登録画像として記憶する登録画像記憶ステップと、
前記被写体を予め撮影した際に計測した焦点距離を記憶する焦点距離記憶ステップと、
前記焦点距離記憶ステップで記憶した焦点距離にて、前記被写体を撮影する第２の撮像ステップと、
該第２の撮像ステップで撮影した撮影画像と、前記登録画像記憶ステップで記憶した登録画像とを比較する比較ステップと、を有し、
該比較ステップの結果、該撮影画像と、該登録画像とが同じである場合、前記検出ステップにて、該撮影画像のコントラスト比及び明るさを検出することを特徴とする請求項６又は７記載の携帯端末装置の認証方法。
【請求項９】
前記第１の撮像ステップの前に、前記被写体を予め撮影した画像を登録画像として記憶する登録画像記憶ステップと、
前記被写体を予め撮影した際に計測した焦点距離を記憶する焦点距離記憶ステップと、
前記変化判断ステップの結果、前記検出ステップで検出したコントラスト比及び明るさの両方に変化がある場合、前記焦点距離記憶ステップで記憶した焦点距離にて、前記被写体を撮影する第２の撮像ステップと、
前記第２の撮像ステップで撮影した撮影画像と、前記登録画像記憶ステップで記憶した登録画像とを比較する比較ステップと、を有し、
該比較ステップの結果、該撮影画像と、該登録画像とが同じである場合、前記ロック解除ステップにて、前記ロックを解除することを特徴とする請求項６又は７記載の携帯端末装置の認証方法。
【請求項１０】
前記被写体を予め撮影した際に、前記登録画像が予め設定された所定の条件を満たしているか否かを判断する条件判断ステップを有し、
該条件判断ステップの結果、前記登録画像が予め設定された所定の条件を満たしている場合、前記登録画像記憶ステップにて、該登録画像を所定の記憶領域に記憶することを特徴とする請求項６から９のいずれか１項に記載の携帯端末装置の認証方法。
【請求項１１】
所定の認証を行い、該認証が成功した場合に所定のロックを解除するためのプログラムであって、
所定の被写体を照光して撮影する第１の撮像処理と、
該照光された被写体、又は、該第１の撮像処理で撮影した撮影画像のコントラスト比及び明るさを検出する検出処理と、
該検出処理で検出したコントラスト比及び明るさの両方に変化があるか否かを判断する変化判断処理と、
該変化判断処理の結果、前記検出処理で検出したコントラスト比及び明るさの両方に変化がある場合、前記ロックを解除する制御を行うロック解除処理と、
をコンピュータに実行させることを特徴とするプログラム。
【請求項１２】
前記変化判断処理の結果、前記検出処理で検出したコントラスト比及び明るさの両方に変化がない場合、前記ロックを維持する制御を行うロック維持処理をコンピュータに実行させることを特徴とする請求項１１記載のプログラム。
【請求項１３】
前記第１の撮像処理の前に、前記被写体を予め撮影した画像を登録画像として記憶する登録画像記憶処理と、
前記被写体を予め撮影した際に計測した焦点距離を記憶する焦点距離記憶処理と、
前記焦点距離記憶処理で記憶した焦点距離にて、前記被写体を撮影する第２の撮像処理と、
該第２の撮像処理で撮影した撮影画像と、前記登録画像記憶処理で記憶した登録画像とを比較する比較処理と、を有し、
該比較処理の結果、該撮影画像と、該登録画像とが同じである場合、前記検出処理にて、該撮影画像のコントラスト比及び明るさを検出することをコンピュータに実行させることを特徴とする請求項１１又は１２記載のプログラム。
【請求項１４】
前記第１の撮像処理の前に、前記被写体を予め撮影した画像を登録画像として記憶する登録画像記憶処理と、
前記被写体を予め撮影した際に計測した焦点距離を記憶する焦点距離記憶処理と、
前記変化判断処理の結果、前記検出処理で検出したコントラスト比及び明るさの両方に変化がある場合、前記焦点距離記憶処理で記憶した焦点距離にて、前記被写体を撮影する第２の撮像処理と、
前記第２の撮像処理で撮影した撮影画像と、前記登録画像記憶処理で記憶した登録画像とを比較する比較処理と、を有し、
該比較処理の結果、該撮影画像と、該登録画像とが同じである場合、前記ロック解除処理にて、前記ロックを解除することをコンピュータに実行させることを特徴とする請求項１１又は１２記載のプログラム。
【請求項１５】
前記被写体を予め撮影した際に、前記登録画像が予め設定された所定の条件を満たしているか否かを判断する条件判断処理を有し、
該条件判断処理の結果、前記登録画像が予め設定された所定の条件を満たしている場合、前記登録画像記憶処理にて、該登録画像を所定の記憶領域に記憶することをコンピュータに実行させることを特徴とする請求項１１から１４のいずれか１項に記載のプログラム。
【発明の詳細な説明】
【技術分野】
【０００１】
本発明は、撮像機能で撮影した画像を用いて所有者の認証を行う携帯端末装置、その認証方法及びプログラムに関する。
【背景技術】
【０００２】
昨今、携帯端末装置の一例である携帯電話は、個人情報の格納機能や電子マネー機能など、所有者にとってより重要な機能を持ちつつあり、セキュリティのために、所有者の人物認証（ユーザ認証）の重要性が高まってきている。
【０００３】
このため、現在、携帯電話においては、所有者の人物認証を行うための様々な認証手段が設けられている。その一例として、携帯電話に付属しているカメラ（撮像機能）を用いて所有者の顔を撮影し、その撮影した顔画像を用いて所有者の認証を行うといった顔認証手段がある（例えば、特許文献１参照）。
【特許文献１】特開２００５−３５４３２８号公報
【発明の開示】
【発明が解決しようとする課題】
【０００４】
しかし、現状の顔認証手段においては、例えば所有者の写真をカメラで撮影するなどして、顔認証によるセキュリティチェックをすりぬけることが簡単に行えるため、セキュリティ機能としての安全性が低いという問題がある。
【０００５】
本発明は、上記事情に鑑みてなされたものであり、写真を用いた認証を防止し、より精度の高い認証を実現する携帯端末装置、その認証方法及びプログラムを提供することを目的とする。
【課題を解決するための手段】
【０００６】
かかる目的を達成するために、請求項１記載の発明は、所定の認証を行い、認証が成功した場合に所定のロックを解除する携帯端末装置であって、所定の被写体を撮影する撮像手段と、撮像手段により被写体を撮影する際に、被写体を照光する照光手段と、照光手段により照光された被写体、又は、照光手段により照光された被写体を撮像手段により撮影した撮影画像のコントラスト比及び明るさを検出する検出手段と、検出手段により検出されたコントラスト比及び明るさの両方に変化があるか否かを判断する制御手段と、を有し、制御手段は、検出手段により検出されたコントラスト比及び明るさの両方に変化がある場合、ロックを解除する制御を行うことを特徴とする。
【０００７】
請求項２記載の発明は、請求項１記載の発明において、制御手段は、検出手段により検出されたコントラスト比及び明るさの両方に変化がない場合、ロックを維持する制御を行うことを特徴とする。
【０００８】
請求項３記載の発明は、請求項１又は２記載の発明において、撮像手段により被写体を予め撮影し、登録画像として記憶する登録画像記憶手段と、撮像手段により被写体を予め撮影した際に計測された焦点距離を記憶する焦点距離記憶手段と、を有し、制御手段は、焦点距離記憶手段に記憶された焦点距離にて、被写体を撮影するように撮像手段を制御し、撮像手段により撮影された撮影画像と、登録画像記憶手段に記憶された登録画像とを比較し、比較の結果、撮影画像と、登録画像とが同じであると認識した場合、撮影画像のコントラスト比及び明るさを検出するように検出手段を制御することを特徴とする。
【０００９】
請求項４記載の発明は、請求項１又は２記載の発明において、撮像手段により被写体を予め撮影し、登録画像として記憶する登録画像記憶手段と、撮像手段により被写体を予め撮影した際に計測された焦点距離を記憶する焦点距離記憶手段と、を有し、制御手段は、検出手段により検出されたコントラスト比及び明るさの両方に変化がある場合、焦点距離記憶手段に記憶された焦点距離にて、被写体を撮影するように撮像手段を制御し、撮像手段により撮影された撮影画像と、登録画像記憶手段に記憶された登録画像とを比較し、比較の結果、撮影画像と、登録画像とが同じであると認識した場合、ロックを解除する制御を行うことを特徴とする。
【００１０】
請求項５記載の発明は、請求項１から４のいずれか１項に記載の発明において、制御手段は、撮像手段により被写体を予め撮影した際に、登録画像が予め設定された所定の条件を満たしているか否かを判断し、登録画像が予め設定された所定の条件を満たしている場合、登録画像を登録画像記憶手段に記憶することを特徴とする。
【００１１】
請求項６記載の発明は、所定の認証を行い、認証が成功した場合に所定のロックを解除する携帯端末装置の認証方法であって、所定の被写体を照光して撮影する第１の撮像ステップと、照光された被写体、又は、第１の撮像ステップで撮影した撮影画像のコントラスト比及び明るさを検出する検出ステップと、検出ステップで検出したコントラスト比及び明るさの両方に変化があるか否かを判断する変化判断ステップと、変化判断ステップの結果、検出ステップで検出したコントラスト比及び明るさの両方に変化がある場合、ロックを解除する制御を行うロック解除ステップと、を有することを特徴とする。
【００１２】
請求項７記載の発明は、請求項６記載の発明において、変化判断ステップの結果、検出ステップで検出したコントラスト比及び明るさの両方に変化がない場合、ロックを維持する制御を行うロック維持ステップを有することを特徴とする。
【００１３】
請求項８記載の発明は、請求項６又は７記載の発明において、第１の撮像ステップの前に、被写体を予め撮影した画像を登録画像として記憶する登録画像記憶ステップと、被写体を予め撮影した際に計測した焦点距離を記憶する焦点距離記憶ステップと、焦点距離記憶ステップで記憶した焦点距離にて、被写体を撮影する第２の撮像ステップと、第２の撮像ステップで撮影した撮影画像と、登録画像記憶ステップで記憶した登録画像とを比較する比較ステップと、を有し、比較ステップの結果、撮影画像と、登録画像とが同じである場合、検出ステップにて、撮影画像のコントラスト比及び明るさを検出することを特徴とする。
【００１４】
請求項９記載の発明は、請求項６又は７記載の発明において、第１の撮像ステップの前に、被写体を予め撮影した画像を登録画像として記憶する登録画像記憶ステップと、被写体を予め撮影した際に計測した焦点距離を記憶する焦点距離記憶ステップと、変化判断ステップの結果、検出ステップで検出したコントラスト比及び明るさの両方に変化がある場合、焦点距離記憶ステップで記憶した焦点距離にて、被写体を撮影する第２の撮像ステップと、第２の撮像ステップで撮影した撮影画像と、登録画像記憶ステップで記憶した登録画像とを比較する比較ステップと、を有し、比較ステップの結果、撮影画像と、登録画像とが同じである場合、ロック解除ステップにて、ロックを解除することを特徴とする。
【００１５】
請求項１０記載の発明は、請求項６から９のいずれか１項に記載の発明において、被写体を予め撮影した際に、登録画像が予め設定された所定の条件を満たしているか否かを判断する条件判断ステップを有し、条件判断ステップの結果、登録画像が予め設定された所定の条件を満たしている場合、登録画像記憶ステップにて、登録画像を所定の記憶領域に記憶することを特徴とする。
【００１６】
請求項１１記載の発明は、所定の認証を行い、認証が成功した場合に所定のロックを解除するためのプログラムであって、所定の被写体を照光して撮影する第１の撮像処理と、照光された被写体、又は、第１の撮像処理で撮影した撮影画像のコントラスト比及び明るさを検出する検出処理と、検出処理で検出したコントラスト比及び明るさの両方に変化があるか否かを判断する変化判断処理と、変化判断処理の結果、検出処理で検出したコントラスト比及び明るさの両方に変化がある場合、ロックを解除する制御を行うロック解除処理と、をコンピュータに実行させることを特徴とする。
【００１７】
請求項１２記載の発明は、請求項１１記載の発明において、変化判断処理の結果、検出処理で検出したコントラスト比及び明るさの両方に変化がない場合、ロックを維持する制御を行うロック維持処理をコンピュータに実行させることを特徴とする。
【００１８】
請求項１３記載の発明は、請求項１１又は１２記載の発明において、第１の撮像処理の前に、被写体を予め撮影した画像を登録画像として記憶する登録画像記憶処理と、被写体を予め撮影した際に計測した焦点距離を記憶する焦点距離記憶処理と、焦点距離記憶処理で記憶した焦点距離にて、被写体を撮影する第２の撮像処理と、第２の撮像処理で撮影した撮影画像と、登録画像記憶処理で記憶した登録画像とを比較する比較処理と、を有し、比較処理の結果、撮影画像と、登録画像とが同じである場合、検出処理にて、撮影画像のコントラスト比及び明るさを検出することをコンピュータに実行させることを特徴とする。
【００１９】
請求項１４記載の発明は、請求項１１又は１２記載の発明において、第１の撮像処理の前に、被写体を予め撮影した画像を登録画像として記憶する登録画像記憶処理と、被写体を予め撮影した際に計測した焦点距離を記憶する焦点距離記憶処理と、変化判断処理の結果、検出処理で検出したコントラスト比及び明るさの両方に変化がある場合、焦点距離記憶処理で記憶した焦点距離にて、被写体を撮影する第２の撮像処理と、第２の撮像処理で撮影した撮影画像と、登録画像記憶処理で記憶した登録画像とを比較する比較処理と、を有し、比較処理の結果、撮影画像と、登録画像とが同じである場合、ロック解除処理にて、ロックを解除することをコンピュータに実行させることを特徴とする。
【００２０】
請求項１５記載の発明は、請求項１１から１４のいずれか１項に記載の発明において、被写体を予め撮影した際に、登録画像が予め設定された所定の条件を満たしているか否かを判断する条件判断処理を有し、条件判断処理の結果、登録画像が予め設定された所定の条件を満たしている場合、登録画像記憶処理にて、登録画像を所定の記憶領域に記憶することをコンピュータに実行させることを特徴とする。
【発明の効果】
【００２１】
本発明によれば、写真を用いた認証を防止し、より精度の高い認証を実現することが可能となる。
【発明を実施するための最良の形態】
【００２２】
以下、本発明を実施するための最良の形態について添付図面を参照して詳細に説明する。
【００２３】
図１は、本発明に係る携帯端末装置の一例である携帯電話の回路構成の要部について示した図である。
【００２４】
本実施例の携帯電話１１は、ＣＰＵ（中央処理装置）１２を搭載しており、ＣＰＵ１２はバス１３を介して携帯電話内の各部と接続されている。
【００２５】
ＲＯＭ１４は、本発明では顔認証エンジン１５を有し、ＣＰＵ１２が実行するための各種の制御用プログラムや、各種表示データなどの固定的データを格納しているリード・オンリ・メモリである。なお、ここでの説明では、人物認証の一例として、顔認証について説明する。
【００２６】
ＲＡＭ１６は、ＣＰＵ１２がプログラムを実行する上で一時的に必要とされるデータを格納しているＲＡＭ（ランダム・アクセス・メモリ）によって構成されている。本発明では、予め登録する顔認証用画像データ（登録画像）１７、撮影時に記憶する焦点距離１８、顔認証を行う都度に撮影する顔認証時撮影画像データ（認証時撮影画像）１９が格納される。
【００２７】
入力部２４は、各種キー２５からのキー入力を検知する回路である。
【００２８】
また、本実施例の携帯電話１１は、上記各部に加えて、無線電波の送受信を行う無線部２０と、それらの音声処理などの通信制御やメモリ管理などを行う制御部２１と、被写体を撮影するためのカメラモジュール（以下、単にカメラともいう）２２と、撮影時に被写体を照光するためのライト２６と、カメラファインダーや前述のＲＡＭ１６に格納されたデータなどを表示するＬＣＤ２３と、を有する。カメラモジュール２２、ＬＣＤ２３、ライト２６は、制御部２１により制御される。
【００２９】
以下、上記のように構成された本発明の携帯電話１１の動作について、図２，３，４を用いて詳細に説明する。
【００３０】
まず、図２に、顔認証時に用いられる顔認証用画像データ１７を予め登録する動作の処理フローを示す。
【００３１】
携帯電話１１の使用者（所有者）は、ＬＣＤ２３に表示される画面を見ながら、キー２５による操作を行い、機能選択で「顔認証機能」を起動する（ステップＳ１）。
【００３２】
初回の「顔認証機能」起動時は、顔認証時において比較対象となる顔認証用データが登録されていないため、使用者が所望の顔認証用画像データ（登録画像）１７を撮影し、それを携帯電話１１内のＲＡＭ１６に格納（登録）することが必要となる。
【００３３】
比較用の顔認証用画像データ１７を撮影するためにカメラ２２が起動し（ステップＳ２）、目や鼻の位置をガイド枠に合わせるなどのサポート機能を使用し、オートフォーカスモードで撮影を行う（ステップＳ３）。
【００３４】
その際、カメラ２２ではレンズと被写体との焦点距離を計測し（ステップＳ４）、被写体を撮影する（ステップＳ５）。
【００３５】
ピントのずれやガイドから顔のパーツがはみ出していないか等、登録にあたりその撮影データに問題がないかどうか、すなわち、予め設定された条件（サイズ、解像度などの条件）を満たしているか否かを判断し（ステップＳ６）、問題がなければ（ステップＳ６／ＹＥＳ）、そのままその撮影データを顔認証用画像データ（登録画像）１７としてＲＡＭ１６に登録し、ステップＳ４にて計測した焦点距離１８を所定の記憶エリア（ここではＲＡＭ１６）に保存する（ステップ７）。
【００３６】
撮影データが、登録が困難なデータである場合（ステップＳ６／ＮＯ）、再度焦点距離を計測し（ステップＳ４）、撮影を行う（ステップＳ５）。ユーザが任意にこの顔認証機能（ここでは、顔認証用画像データ１７の登録）を終了しない限りは、正常に登録できるまで撮影を行う。
【００３７】
図３に、図２で登録した顔認証用画像データ１７を基にして、実際に顔認証を行う動作の処理フローを示す。なお、以下の説明では、携帯電話１１は、顔認証用画像データ１７の登録が済んでおり、また、所定のロックが掛けられており、そのロックは、顔認証の成功により解除されるように設定されている。
【００３８】
携帯電話１１の使用者（所有者）が、キー２５の操作等、携帯電話１１を使用しようとすると、顔認証機能が起動する（ステップＳ１１）。その際、顔認証を行うためにカメラ機能が起動するが、ここで、図２のステップＳ７でＲＡＭ１６に記憶した焦点距離１８を読み込み（ステップＳ１２）、読み込んだ焦点距離にてカメラ２２が起動する（ステップＳ１３）。
【００３９】
カメラ２２で被写体の撮影を行う（ステップＳ１４）。この撮影の時、ライト２６が起動し、被写体を照光する。
【００４０】
この撮影により取得される顔認証時撮影画像データ（認証時撮影画像）１９と、ＲＡＭ１６に格納されている顔認証用画像データ１７とを比較する（ステップＳ１５）。
【００４１】
ここで、図３のステップＳ１４及びステップＳ１５での詳細について、図４を用いて詳細に説明する。
【００４２】
〔ケースＡ〕
ステップＳ１４において、被写体として実物の人物が撮影され、その実物の人物が顔認証用画像データ１７の人物と同じである場合は、図２のステップＳ７で予め計測・保存した焦点距離１８（仮に「距離ａ」とする）と同じ距離ａで撮影すれば、ステップＳ１４で撮影された顔認証時撮影画像データ１９と、ＲＡＭ１６に格納されている顔認証用画像データ１７とが同じであると認識（判断）する。
【００４３】
〔ケースＢ〕
ステップＳ１４において、被写体として写真が撮影され、その写真の人物が顔認証用画像データ１７と同じであっても、写真の顔は実物よりも小さいため、焦点距離ａにて焦点が合致しても顔の大きさが異なるため、ステップＳ１４で撮影された顔認証時撮影画像データ１９と、ＲＡＭ１６に格納されている顔認証用画像データ１７とが同じであると認識（判断）しない。
【００４４】
〔ケースＣ〕
ステップＳ１４において、被写体として写真が撮影され、この写真を、顔認証用画像データ１７の顔の大きさと同じにするために、カメラ２２をより近づけて顔を大きくして撮影した場合（このときの焦点距離を仮に「距離ｂ」とする）、予め計測・保存された焦点距離１８は「距離ａ」であり、「距離ｂ」では焦点の合わない写真が撮影されるため、ステップＳ１４で撮影された顔認証時撮影画像データ１９と、ＲＡＭ１６に格納されている顔認証用画像データ１７とが同じであると認識（判断）しない。
【００４５】
そして、ステップＳ１５での比較の結果、上記ケースＢ，Ｃのように、ステップＳ１４で撮影された顔認証時撮影画像データ１９と、ＲＡＭ１６に格納されている顔認証用画像データ１７とが同じではないと認識した場合（ステップＳ１５／ＮＯ）、再度被写体の撮影モードに遷移する（ステップＳ１４）。
【００４６】
一方、ステップＳ１５での比較の結果、上記ケースＡのように、ステップＳ１４で撮影された顔認証時撮影画像データ１９と、ＲＡＭ１６に格納されている顔認証用画像データ１７とが同じであると認識した場合（ステップＳ１５／ＹＥＳ）、次に、顔認証時撮影画像データ１９のコントラスト（比）及び明るさを検出し、それら検出結果に基づいて、その顔認証時撮影画像データ１９が実物を撮影したものか又は写真を撮影したものかの判断を行う（ステップＳ１６）。ここで再度判断を行う理由は、上記ケースＡでは被写体として実物の人物を撮影したものとして説明したが、上記ケースＡのように被写体として実物の人物を撮影しなくても、例えば、図５に示すように、その実物の人物の顔と同じ大きさ（予め登録された顔認証用画像データ１７の人物の顔と同じ大きさ）の、その人物の顔の写真を、焦点距離ａを保ちながら撮影すれば、顔認証時撮影画像データ１９と顔認証用画像データ１７とが同じであると認識してしまうので、このような写真による顔認証を防ぐためである。よって、本発明では、ステップＳ１５とステップＳ１６の２段階の判断を行うことにより、写真を用いた顔認証を、より確実に防ぐことができる。なお、ここでの説明では、ステップＳ１５、ステップＳ１６の順としたが、ステップＳ１６の後に、ステップＳ１５を行うようにしてもよい（この場合、図３において、ステップＳ１５とステップＳ１６を入れ替える）。
【００４７】
ステップＳ１６での判断では、顔認証時撮影画像データ１９において、コントラスト及び明るさに変化があるかどうかを判断する。判断の結果、コントラスト及び明るさの両方に変化がある場合は、実物を撮影したものであると判断し（ステップＳ１６／ＹＥＳ）、顔認証が成功したことになり、ロックが解除される（ステップＳ１７）。
【００４８】
一方、判断の結果、コントラスト及び明るさの両方に変化がない場合は、写真を撮影したものであると判断し（ステップＳ１６／ＮＯ。写真を撮影すると、画像全体が明るくなるのみで、コントラストに変化はないため）、顔認証が失敗したことになり、ロックを維持したまま、再度被写体の撮影モードに遷移する（ステップＳ１４）。あるいは、ロックを維持したまま、顔認証が失敗した旨をＬＣＤ２３に表示し、一連の処理を終了してもよい。
【００４９】
なお、上記説明では、図３において、ステップＳ１５と、ステップＳ１６の２段階で判断を行うようにしたが、ステップＳ１５は行わずに、ステップＳ１６のみを行うようにしてもよい。例えば、ステップＳ１４での撮影前に、ライトを被写体（実物又は写真）に当てて、カメラ２２又は図示しない所定のセンサなどにより被写体自体のコントラスト及び明るさをカメラ２２で検出し、その検出結果に基づいてステップＳ１６の判断を行う、あるいは、ステップＳ１４の撮影時に、ライトを被写体（実物又は写真）に当てて撮影し、撮影された顔認証時撮影画像データ１９のコントラスト及び明るさをカメラ２２で検出し、その検出結果に基づいてステップＳ１６の判断を行う。この場合では、顔認証を行わないことになるが、写真を用いた認証自体は排除できる。
【００５０】
以上説明したように、本発明によれば、顔認証時に撮影した画像データにおけるコントラスト及び明るさに基づいて、その画像データが実物を撮影したものかあるいは写真を撮影したものかを判断するので、写真を撮影することによる顔認証を確実に防止することができる。
【００５１】
また、予め顔認証用画像データを撮影する際に、カメラと被写体との焦点距離を記憶することにより、同じ被写体を同じ焦点距離で撮影しない限り顔認証が正常に行われないことになり、精度の高い顔認証機能を提供することができる。
【００５２】
また、認識エンジン自体の精度が向上すれば相乗的に本機能の効果も高まることが期待される。
【００５３】
また、撮影焦点距離について一度決定したものを変更したい場合は、任意のメニューより、顔認証または暗証番号を入力した上で撮影をし、焦点距離を変更することを可能とすれば、焦点距離変更時もセキュリティ効果が高いまま変更することができる。
【００５４】
以上の説明では、携帯電話機でカメラ機能を使用することによる顔認証機能の説明をしたが、ＰＨＳ等の他の携帯端末装置でもカメラ機能と顔認証機能を有していれば同様の処理を行うことが可能である。
【００５５】
また、顔認証用画像撮影時に目の位置などを収めるガイドを大小サイズで数種類持たせ、その中から任意のフレームを選択することにより、撮影した本人は大体どのくらいの距離であるか、どの程度の顔の大きさで認証を行うのかを知ることができるが、認識の無い第三者にとっては焦点距離と撮影する顔の大きさに対する秘密性が高く、より顔認証機能の精度を向上することができる。
【００５６】
更に本発明では、予め焦点距離をある一定に定めた状態のレンズを具備させても同様の効果が得られる。
【００５７】
以上、本発明の実施例について説明したが、上記実施例に限定されるものではなく、その要旨を逸脱しない範囲において種々の変形が可能である。
【産業上の利用可能性】
【００５８】
本発明は、携帯電話機、ＰＨＳ（Personal Handyphone System）、ＰＤＡ（Personal Data Assistance，Personal Digital Assistants：個人向け携帯型情報通信機器）等の携帯端末装置であって、カメラ機能を有し、顔認証によるセキュリティ機能をもつ装置に適用できる。
【図面の簡単な説明】
【００５９】
【図１】本発明の実施例に係る携帯電話の構成を示すブロック図である。
【図２】本発明の実施例に係る携帯電話の事前画像登録動作を示すフローチャートである。
【図３】本発明の実施例に係る携帯電話の顔認証動作を示すフローチャートである。
【図４】本発明の実施例に係る携帯電話の顔認証時における顔画像の撮影の各例を示す説明図である。
【図５】本発明の実施例に係る携帯電話の顔認証時における顔画像の撮影の例を示す説明図である。
【符号の説明】
【００６０】
１１    携帯電話（携帯端末装置）
１２    ＣＰＵ（制御手段）
１３    バス
１４    ＲＯＭ
１５    顔認証エンジン
１６    ＲＡＭ
１７    顔認証用画像データ
１８    焦点距離
１９    顔認証時撮影画像データ
２０    無線部
２１    制御部
２２    カメラモジュール（撮像手段）
２３    ＬＣＤ
２４    入力部
２５    キー
２６    ライト
【図１】
2008262475.tif 000003
【図２】
2008262475.tif 000004
【図３】
2008262475.tif 000005
【図４】
2008262475.tif 000006
【図５】
2008262475.tif 000007